(57)【要約】【課題】電磁給水弁の接続部から水漏れを検出する機能を維持しつつ、給水手段の加工性をよくするとともに、万一加工不良が発生した場合でも、容易に交換ができ資源的に有利な食器洗い機を提供することを目的とする。【解決手段】食器洗い機本体１外の給水配管５と食器洗い機本体１の給水管６とを接続するとともに洗浄槽２に給水を行う給水手段３を備え、給水手段３は、弁の開閉により給水を行う電磁給水弁３ａと電磁給水弁３ａを水密に覆う樹脂部材１０とを備える。【選択図】図１
2011050723.tif 000002
【特許請求の範囲】
【請求項１】
食器を収納して洗浄する洗浄槽と、前記洗浄槽を内側に有する食器洗い機本体と、前記食器洗い機本体外の水道管と前記食器洗い機本体の給水管とを接続するとともに前記洗浄槽に給水を行う給水手段とを備え、前記給水手段は、弁の開閉により給水を行う電磁給水弁と前記電磁給水弁を水密に覆う樹脂部材とを備えた食器洗い機。
【請求項２】
前記樹脂部材は、前記水道管と前記給水管との連結方向に略垂直な面で分割して形成される請求項１に記載の食器洗い機。
【請求項３】
前記樹脂部材は、前記給水手段が前記水道管と前記給水管の双方と接続された状態で、少なくとも２つの部材に分離可能に構成した請求項１または２に記載の食器洗い機。
【請求項４】
前記給水管は内側給水管の外側を外側給水管で覆う二重構造とし、分離可能に構成した樹脂部材のうち少なくとも１つの部材の一端を前記外側給水管に水密に接続した請求項３に記載の食器洗い機。
【請求項５】
前記外側給水管は長手方向に伸縮自在な構成とした請求項４に記載の食器洗い機。
【請求項６】
前記電磁給水弁の電気的端子と食器洗い機の制御部に接続するリード線とを接続する接続端子が備えられ、前記接続端子は、前記樹脂部材の内壁に当接するようにして設けられる請求項１〜５のいずれか１項に記載の食器洗い機。
【発明の詳細な説明】
【技術分野】
【０００１】
本発明は、給水弁や給水管によって水道水を洗浄槽内に供給して、洗浄槽内に収納された食器類を洗浄する食器洗い機に関するものである。
【背景技術】
【０００２】
流し台等に組み込まれて使用される従来のビルトインタイプの食器洗い機は、図４および図５に示すように、食器洗い機本体３１の外に配置され、洗浄槽３２への給水を制御する電磁給水弁３３は、一端は１次側接続部３４で給水配管３５と連結され、他端は給水管３６に接続され、洗浄槽３２内に連通されている。
【０００３】
電磁給水弁３３より上流側の１次側接続部３４では高い水圧がかかっているが、電磁給水弁３３に組み込まれた不図示の流量制御弁により、下流側の給水管３６では低い水圧に調整されている。なお、給水管３６は二重構造を有し、本来の耐圧性を有する内側給水管３６ａの外側を外側給水管３６ｂで覆った構成を持っている。
【０００４】
また、電磁給水弁３３は、電磁給水弁３３に信号を伝達するリード線３７と電磁給水弁３３全周を一体的に樹脂材料で覆う加工を施しており、ホース接続部３３ａで、内側給水管３６ａとリード線３７の外周を同時に覆った外側給水管３６ｂと接続している。
【０００５】
外側給水管３６ｂは、もう一方の先端を食器洗い機本体３１の背面に接続しており、内側給水管３６ａや電磁給水弁３３が損傷を受け、その損傷部分から水漏れが発生した場合、外側給水管３６ｂ内に水を溜めることにより、食器洗い機本体３１内に水を回収することが可能になり、食器洗い機本体３１底に設けた溢水検知手段３８により検知されるように構成されている（例えば、特許文献１参照）。
【先行技術文献】
【特許文献】
【０００６】
【特許文献１】特開２００８−０９３０８６号公報
【発明の概要】
【発明が解決しようとする課題】
【０００７】
しかしながら、上記特許文献１に開示された従来の食器洗い機の構成では、電磁給水弁３３に信号を伝達するリード線３７と電磁給水弁３３全周を一体的に樹脂材料で覆う加工を施しているため、加工に時間がかかるのと、万一、加工不良があった場合、一体的に樹脂で覆われているため、中身の確認をすることができず、電磁給水弁３３ごと廃棄することになり、資源的に不利になるといった課題を有していた。
【０００８】
本発明は、前記従来の課題を解決するもので、電磁給水弁の接続部から水漏れを検出する機能を維持しつつ、給水手段の加工性をよくするとともに、万一加工不良が発生した場合でも、容易に交換ができる資源的に有利な食器洗い機を提供することを目的とする。
【課題を解決するための手段】
【０００９】
本発明は上記目的を達成するために、食器を収納して洗浄する洗浄槽と、前記洗浄槽を内側に有する食器洗い機本体と、前記食器洗い機本体外の水道管と前記食器洗い機本体の給水管とを接続するとともに前記洗浄槽に給水を行う給水手段とを備え、前記給水手段は、弁の開閉により給水を行う電磁給水弁と前記電磁給水弁を水密に覆う樹脂部材とを備えたもので、電磁給水弁に信号を伝達するリード線と電磁給水弁全周を一体的に樹脂材料で
覆う加工を施しているため、加工に時間がかかるのと、万一、加工不良があった場合、一体的に樹脂材料で覆われているため、中身の確認をすることができず、電磁給水弁ごと廃棄することになり、資源的に不利になるといった課題を解消することができる。
【発明の効果】
【００１０】
本発明の食器洗い機は、電磁給水弁に信号を伝達するリード線と電磁給水弁全周を一体的に樹脂材料で覆う加工を施しているため、加工に時間がかかるのと、万一、加工不良があった場合、一体的に樹脂で覆われているため、中身の確認をすることができず、電磁給水弁ごと廃棄することになり、資源的に不利になるといった課題を解消することができる。
【図面の簡単な説明】
【００１１】
【図１】本発明の第１の実施の形態における食器洗い機が給水配管に接続された状態を示した断面図
【図２】同食器洗い機の要部を示した断面図
【図３】本発明の第２の実施の形態における食器洗い機の要部を示した断面図
【図４】従来の食器洗い機が給水配管に接続された状態を示した断面図
【図５】従来の食器洗い機の要部を示した断面図
【発明を実施するための形態】
【００１２】
第１の発明は、食器を収納して洗浄する洗浄槽と、前記洗浄槽を内側に有する食器洗い機本体と、前記食器洗い機本体外の水道管と前記食器洗い機本体の給水管とを接続するとともに前記洗浄槽に給水を行う給水手段とを備え、前記給水手段は、弁の開閉により給水を行う電磁給水弁と前記電磁給水弁を水密に覆う樹脂部材とを備えたもので、電磁給水弁の接続部から水漏れを検出する機能を維持しつつ、給水手段の加工性をよくするとともに、万一加工不良が発生した場合でも、容易に交換ができる資源的に有利な食器洗い機を提供することができる。
【００１３】
第２の発明は、第１の発明において、樹脂部材は、水道管と給水管との連結方向に略垂直な面で分割して形成されるもので、樹脂部材の分割部や、給水管等との接続部を容易に構成することができるため、接続部の水密性を安定させることができる。
【００１４】
第３の発明は、第１又は第２の発明において、樹脂部材は、給水手段が水道管と給水管の双方と接続された状態で、少なくとも２つの部材に分離可能に構成したもので、電磁給水弁の接続部から水漏れを検出する機能を維持しつつ、給水手段の加工性をよくするとともに、万一加工不良が発生した場合でも、容易に交換ができるとともに、部材同士を分離するだけで樹脂部材内や給水管内に溜まった漏水を部材間から回収することができ、修理時の作業効率を向上させることができる。
【００１５】
第４の発明は、第３の発明において、給水管は内側給水管の外側を外側給水管で覆う二重構造とし、分離可能に構成した樹脂部材のうち少なくとも１つの部材の一端を前記外側給水管に水密に接続したもので、修理時に樹脂部材を複数部材に分離した時に、内側給水管および内側給水管と電磁給水弁との接続部に力が一切作用せず、修理作業により新たな漏水の元となるような不良が発生することを防止できる。
【００１６】
第５の発明は、第６の発明において、外側給水管は長手方向に伸縮自在な構成としたもので、修理時に樹脂部材を複数部材に分離した時に、分離に伴う部材の移動距離分を外側給水管の蛇腹部分で吸収することで分離作業および漏水の回収作業をスムーズかつ確実に行うことができるとともに、内側給水管および内側給水管と電磁給水弁との接続部に無理な力が作用せず、修理作業により新たな漏水の元となるような不良が発生することを防止
できる。
【００１７】
第６の発明は、第１から第５の発明のいずれかの発明において、電磁給水弁の電気的端子と食器洗い機の制御部に接続するリード線とを接続する接続端子が備えられ、接続端子は、樹脂部材の内壁に当接するようにして設けられるものである。この構成により、施工の際、施工業者が誤って給水管を引っ張った場合、リード線、接続端子が引っ張られ、電磁給水弁の電気的端子が変形しようとする力が加わるが、接続端子は、ホース側樹脂部材に当接しているため、それ以上接続端子が動くことなく、電磁給水弁の電気的端子は変形せず、電磁給水弁の電気的端子の変形による屈曲部の端子厚みの減少等による抵抗の増大、そして加熱、火災等を避けることができ、電気的に安全となる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における食器洗い機が給水配管に接続された状態を示した断面図、図２は同食器洗い機の要部を示した断面図を示すものである。
図１および図２において、流し台内に収納された食器洗い機本体１の外に配置され、洗浄槽２への給水を制御する給水手段３は、一端は１次側接続部４で給水配管５と連結され、他端で給水管６に接続され、洗浄槽２内に連通されている。
【００２０】
給水手段３より上流側の給水配管５および１次側接続部４では高い水圧がかかっているが、給水手段３に組み込まれた不図示の流量制御弁により、下流側の給水管６では低い水圧に調整されている。給水管６は二重構造を有し、本来の耐圧性を有する内側給水管６ａの外側を外側給水管６ｂで覆っている。外側給水管６ｂは、内側給水管６ａより薄厚で蛇腹形状とし、その長手方向に伸縮自在な構成としてある。
【００２１】
外側給水管６ｂは、もう一方の先端を食器洗い機本体１の背面に接続しており、内側給水管６ａや給水手段３が損傷を受け、その損傷部分から水漏れが発生した場合、外側給水管６ｂ内に水を溜めることにより、食器洗い機本体１内に水を回収することが可能になり、食器洗い機本体１底に設けた溢水検知手段７により検知されるように構成されている。
【００２２】
給水手段３は、弁の開閉により給水管６の内側給水管６ａを通じて洗浄槽２内に給水を行う電磁給水弁３ａと電磁給水弁３ａを水密に覆う樹脂部材１０とを備え、電磁給水弁３ａは、内側給水管６ａと外側給水管６ｂとの間の空間を通して食器洗い機本体１内の制御部と接続されているリード線８によって制御信号を受けて動作させることができる。
【００２３】
また、電磁給水弁３ａは樹脂部材１０により水密に覆われており、樹脂部材１０は、１次側樹脂部材１１とホース側樹脂部材１２で構成され、給水配管５と給水管６との連結方向に略垂直な面１２ｂで分割されており、１次側樹脂部材１１とホース側樹脂部材１２との間はＯリング等のシール部材１４により水密性を有している。
【００２４】
１次側樹脂部材１１は、電磁給水弁３ａの１次側接続部４に設けたネジ部３ｂを樹脂部材１０より外部に出した状態で、電磁給水弁３ａ側に水を溜めるようＯリング１３によりシールしている。
【００２５】
ホース側樹脂部材１２には、シール部材１４に対向する側とは反対側に、外側給水管６ｂの端部外周と水密に接続した軟質樹脂製の外側給水管接続部１２ａを設け、その内側に内側給水管６ａとリード線８を通す構成をしている。
【００２６】
以上のように構成された食器洗い機について、以下にその動作、作用について説明する。食器洗い機に給水をする際に、内側給水管６ａや電磁給水弁３ａの破損等により水漏れが発生した場合、樹脂部材１０内に漏れた水が溜められる。
【００２７】
樹脂部材１０は１次側樹脂部材１１とホース側樹脂部材１２との接合部をシール部材１４によってシールされるとともに、１次側樹脂部材１１に設けたＯリング１３によって１次側接続部４をシールされているため、溜められた水は、樹脂部材１０からホース側樹脂部材１２に設けた外側給水管接続部１２ａを経て給水管６に導かれて溢れる。さらに、溢れた水は、外側給水管６ｂ内を経て、食器洗い機本体１内に回収することで、食器洗い機本体１内に設けた溢水検知手段７によって異常報知を行うことができる。
【００２８】
また、給水手段３は、電磁給水弁３ａに樹脂部材１０を被せるだけの構成になっているため、加工が容易になっているのと同時に、加工途中の検査で、給水手段３に不良が発見された場合でも、不良原因を容易に特定でき、必要最小限の部品の交換、修正で対応することができる。
【００２９】
また、樹脂部材１０は給水配管５および給水管６との連結方向に略垂直な面１２ｂで分割しているため、１次側樹脂部材１１とホース側樹脂部材１２とのシール面と、外側給水管６ｂとホース側樹脂部材１２とのシール面を簡単な構成にすることができるとともに、簡単な構成であるため、分解、組み立てが容易になり、万一、不良が発生した場合でも、修理を容易にすることができる。
【００３０】
また、樹脂部材１０は、食器洗い機１〜給水管６〜給水手段３〜給水配管５がすべて接続された状態のままで、１次側樹脂部材１１とホース側樹脂部材１２とに分離できるので、両部材を分離するだけで樹脂部材１０内や外側給水管６ｂ内に溜まった漏水を１次側樹脂部材１１とホース側樹脂部材１２との間から回収することができ、修理時の作業効率を向上させることができる。
【００３１】
また、給水管６を内側給水管６ａの外側を外側給水管６ｂで覆う二重構造とするとともに、ホース側樹脂部材１２に設けた外側給水管接続部１２ａの一端を外側給水管６ｂに水密に接続したので、修理時にホース側樹脂部材１２を１次側樹脂部材１１から分離した時に、内側給水管６ａおよび内側給水管６ａと電磁給水弁３ａとの接続部に力が一切作用せず、修理作業により新たな漏水の元となるような不良を発生させることがない。
【００３２】
さらに、外側給水管６ｂを蛇腹形状とし、その長手方向に伸縮自在な構成としてあるので、修理時にホース側樹脂部材１２を１次側樹脂部材１１から分離する時に、その移動距離分を外側給水管６ｂの蛇腹部分で吸収することで分離作業および漏水の回収作業をスムーズかつ確実に行うことができるとともに、内側給水管６ａおよび内側給水管６ａと電磁給水弁３ａとの接続部に無理な力が作用せず、修理作業により新たな漏水の元となるような不良を発生させることがない。
【００３３】
（実施の形態２）
図３は、本発明の第２の実施の形態の食器洗い機の要部を示した断面図である。なお、上記実施の形態における食器洗い機と同一部分については、同一符号を付してその説明を省略する。本実施の形態は、図３に示すように、制御部に接続するリード線８は電磁給水弁３ａの電気的端子３ｃと接続端子１５で電気的に接続され、接続端子１５は、ホース側樹脂部材１２に当接して設けられているもので他の構成は、上記実施の形態１と同じである。
【００３４】
以上のように構成された食器洗い機について、以下にその動作、作用について説明する
。施工の際、施工業者が誤って給水管６を引っ張る場合があり、その際リード線８、接続端子１５が引っ張られ、電気的端子３ｃが変形するような力が加わる。しかし接続端子１５は、ホース側樹脂部材１２の内壁に当接しているため、それ以上接続端子１５が動くことなく電気的端子３ｃは変形せず、電気的端子３ｃの変形による屈曲部の端子厚みの減少等による抵抗の増大、そして加熱等を避けることができ、電気的に安全となる。
【産業上の利用可能性】
【００３５】
以上のように、本発明にかかる食器洗い機は、電磁給水弁の接続部からの水漏れを検出する機能を維持しつつ、給水手段の加工性をよくするとともに、万一加工不良が発生した場合でも、容易に交換ができ資源的に有利にできるので、電磁給水弁を備えた給水手段が食器洗い機本体の外に配置された食器洗い機等として有用である。
【符号の説明】
【００３６】
１  食器洗い機本体
２  洗浄槽
３  給水手段
３ａ  電磁給水弁
５  給水配管（水道管）
６  給水管
６ａ  内側給水管
６ｂ  外側給水管
１０  樹脂部材
１１  １次側樹脂部材
１２  ホース側樹脂部材
１２ａ  外側給水管接続部
１２ｂ  面
１３  Ｏリング
１４  シール部材
３ｃ  電気的端子
１５  接続端子
【図１】
2011050723.tif 000003
【図２】
2011050723.tif 000004
【図３】
2011050723.tif 000005
【図４】
2011050723.tif 000006
【図５】
2011050723.tif 000007